(57)【要約】【課題】  本発明の目的は、コンデンサーが乾燥機に組み立てられる時完全な密閉状態を維持できるようにするコンデンサー組立構造を提供することにある。【解決手段】  本発明に係る乾燥機のコンデンサー組立構造は、ベースと、前記ベースの一側内部に形成されるコンデンサー収容部と、前記コンデンサー収容部に挿入され、少なくとも一側に圧入部材を具備するコンデンサーと、を含む。【選択図】図３
2005177512.tif 000002
【特許請求の範囲】
【請求項１】
乾燥ドラムと、前記乾燥ドラムを通過する循環空気が熱交換するコンデンサーと、前記コンデンサーが収容されるベースが含まれる乾燥機において、
前記ベースの一側内部に形成されるコンデンサー収容部と、
前記コンデンサーの少なくとも一側に回転可能であるように結合する圧入部材と、
前記コンデンサー収容部の内周面に陥没し前記圧入部材が挿入される挿入溝と、
を含むことを特徴とする乾燥機のコンデンサー締結構造。
【請求項２】
前記コンデンサーの圧入部材は前記コンデンサーの両側面に形成されることを特徴とする、請求項１に記載の乾燥機のコンデンサー締結構造。
【請求項３】
前記コンデンサーは前面及び／または後面にシーリング部材が囲まれる請求項１に記載の乾燥機のコンデンサー締結構造。
【請求項４】
前記コンデンサーは前面に着脱輪を含むことを特徴とする請求項１に記載の乾燥機のコンデンサー締結構造。
【請求項５】
前記コンデンサーは前面部下側が上側より所定の長さで延長され前記循環空気の流入をガイドするガイド面を含むことを特徴とする請求項１に記載の乾燥機のコンデンサー締結構造。
【請求項６】
前記圧入部材は中央に回転軸が挿入されることを特徴とする請求項１に記載の乾燥機のコンデンサー締結構造。
【請求項７】
前記圧入部材は前記コンデンサー収容部の挿入溝に挿入される圧入突起を含むことを特徴とする請求項１に記載の乾燥機のコンデンサー締結構造。
【請求項８】
前記圧入部材は上部面が所定角度で傾く圧入突起を含むことを特徴とする請求項１に記載の乾燥機のコンデンサー締結構造。
【請求項９】
前記圧入部材は前記圧入突起と所定角度離隔され、外周面から所定の長さで延長される圧入部材てこを含むことを特徴とする請求項７または８に記載の乾燥機のコンデンサー締結構造。
【請求項１０】
前記圧入部材てこは前面部に突出する圧入部材つまみを含むことを特徴とする請求項９に記載の乾燥機のコンデンサー締結構造。
【請求項１１】
前記圧入部材はプラスチック射出物である請求項１に記載の乾燥機のコンデンサー締結構造。
【請求項１２】
前記着脱輪は使用者の指が挿入される溝を含むことを特徴とする請求項４に記載の乾燥機のコンデンサー締結構造。
【請求項１３】
前記コンデンサー収容部は底面に所定の高さと長さで突出するガイドリブを少なくとも一つ以上含むことを特徴とする請求項１に記載の乾燥機のコンデンサー締結構造。
【請求項１４】
前記コンデンサー収容部は前記ガイドリブを支持する支持リブを少なくとも一つ以上含むことを特徴とする請求項１３に記載の乾燥機のコンデンサー締結構造。
【請求項１５】
高温多湿な循環空気が吐出される乾燥ドラムと、前記乾燥ドラムから吐出された循環空気が熱交換するコンデンサーが含まれる乾燥機において、
前面部両側に具備され前記コンデンサーを圧入する圧入部材と、
前記コンデンサーが内部に収容される収容部と、前記収容部の底面にコンデンサーガイドリブが含まれるベースと、
前記コンデンサーの前面に形成される着脱輪と、
を含むことを特徴とする乾燥機。
【発明の詳細な説明】
【技術分野】
【０００１】
本発明は乾燥機に関し、より詳しくは、コンデンサーを通過する高温多湿な状態の循環空気及び／または冷却ファンにより吸入された低温状態の室内空気がコンデンサーの前面及び／または後面の隙間を通して外部に漏れないようにする乾燥機のコンデンサー組立構造に関する。
【背景技術】
【０００２】
一般的に、ドラム式乾燥機は乾燥ドラムの回転時に前記乾燥ドラム内部に収容された洗濯物が共に回転し、前記回転により洗濯物が上昇及び落下する。そして、前記乾燥ドラム内部に流入する高温乾燥な空気が洗濯物と混ざり、洗濯物ににじんでいる水分を蒸発させることで、乾燥ドラム内部の洗濯物を乾燥させる。そして、前記乾燥機はドラム内部の空気がコンデンサーとヒーターを経てまたドラム内部に流入し、ドラム内部の空気は外部に排出されず乾燥機内部で循環する凝縮式乾燥機と、ドラム内部の空気がコンデンサーを通過しながら水分を除去してから外部へ排出される排気式乾燥機と大別される。
詳しくは、凝縮式乾燥機の場合、乾燥機内部を循環する循環空気は、ドラム内部で洗濯物ににじんでいる水分を吸収してから、コンデンサーを通過しながら熱交換により温度が下降する。そして、温度の下降により内部の水分が凝縮される。そして、前記凝縮された凝縮水は凝縮ポンプによりポンピングされ最終的に外部へ排出される。
一方、排気式乾燥機はドラム内部で洗濯物の水分を吸収した高温多湿な状態の空気がリントフィルターを経て乾燥機外部へ排出される方式である。
【０００３】
しかし、前記凝縮式及び排気式乾燥機はドラム内部に収容された洗濯物が前記ドラムの回転により洗濯物が上昇及び落下を繰り返しながら、ドラム内部の高温乾燥な空気と熱交換が活発に起こるということにおいて同一である。
特に、凝縮式乾燥機において、ドラム内部を通過しながら高温多湿な状態になった内部空気を凝縮するコンデンサーはコンデンサー収容部に組み立てられる際完全な密閉状態を維持しなければならない。そうでなければ、ドラム内部の空気がコンデンサーを通過しながら発生する凝縮水がサンプに移動せず、乾燥機外部に漏れる現象が発生する。そして、前記コンデンサー外部に漏れる循環空気中に含まれている水分が、前記凝縮水が収容されるベースの表面に凝縮される問題が発生する。
さらに、前記コンデンサーが乾燥機内部に組み立てられる際コンデンサーの底面がコンデンサー収容部底面に接触することから摩擦力が発生し、組立時スムーズに挿入されない短所がある。
尚、前記コンデンサーの掃除や交替の時使用者が掴み抜くことを用意にするためのつまみ構造が必要になる。
【発明の開示】
【発明が解決しようとする課題】
【０００４】
本発明の目的は前記のような問題を解決するため提案されたもので、コンデンサーが乾燥機に組み立てられる時完全な密閉状態を維持できるようにするコンデンサー組立構造を提供することにある。
さらに、本発明の目的は、使用者がコンデンサーを乾燥機内部に挿入したり抜いたりする時、容易に取り掴み、抜いたり入れたりすることができるつまみ構造を具備するコンデンサー組立構造を提供することにある。
また、本発明の目的は、コンデンサーの挿入時もっとスムーズにできるようにするコンデンサー組立構造を提供することにある。
【課題を解決するための手段】
【０００５】
前記のような目的を達成するため、本発明に係る乾燥機のコンデンサー組立構造はベースと、前記ベースの一側内部に形成されるコンデンサー収容部と、前記コンデンサー収容部に挿入され、少なくとも一側に圧入部材を具備するコンデンサーと、を含む。
また他の側面において、本発明に係る乾燥機のコンデンサー締結構造は、コンデンサーと、前記コンデンサーの前方に形成される着脱輪と、前記コンデンサーの前面部に回転可能であるように装着される圧入部材と、前記コンデンサーが収容されるための陥没部と、前記陥没部の内側に前記圧入部材が結合される溝を含むベースと、前記陥没部の内側に所定の高さで突出するシーリング面と、を含む。
また他の側面において、本発明に係る乾燥機は、乾燥ドラムと、前記乾燥ドラムを通過した循環空気が流入し熱交換するコンデンサーと、前記コンデンサーが収容されるための収容部が形成されるベースと、前記コンデンサーの前面部両側面に装着され、前記コンデンサーが収容部に強く密着されるようにする圧入部と、前記収容部の内側に形成され前記コンデンサーの挿入をスムーズにするガイドリブと、を含む。
【発明の効果】
【０００６】
前記のような構成の本発明に係る乾燥機のコンデンサー構造により使用者が容易にコンデンサーを着脱できる効果がある。
さらに、コンデンサーが前記乾燥機内に完全な密閉状態を維持しながら組み立てられ、コンデンサー表面に発生する凝縮水が乾燥機外に漏れない効果がある。
尚、コンデンサーが乾燥機内に挿入される時、もっとスムーズに挿入される効果がある。
【発明を実施するための最良の形態】
【０００７】
以下は、本発明の具体的な実施例を図面と共に詳しく説明する。しかし、本発明の思想が後術の実施例に制限されるものではなく、また他の構成要素の追加、変更、削除などにより、他の発明や本発明の思想の範囲内に含まれる他の実施例を容易に制限できる。
【０００８】
図１は本発明の思想に係るコンデンサー組立構造を具備する凝縮式乾燥機の断面図である。
【０００９】
図１を参照すると、本発明に係るコンデンサー組立構造を具備する凝縮式ドラム乾燥機３０は、外観を形成するアウトケース１０と、前記アウトケース１０の内部に装着され内部に洗濯物が収容される円筒状のドラム１２と、前記ドラム１２の開閉を調節するドア１３と、前記ドラム１２の外周面に囲まれ前記ドラム１２を回転させるベルト１１を含む。
さらに、前記ベルト１１と連結され前記ドラム１２に回転力を伝達するモーター軸２１と、前記モーター軸２１と連結され回転力を提供するモーター１７と、前記モーター軸２１の一側端部に連結され前記モーター１７の回転力を受け回転しながら、室内空気を吸入する冷却ファン１６を含む。そして、前記モーター軸２１の他側端部に連結され、前記ドラム１２内部の空気を循環させる乾燥ファン１８と、前記乾燥ファン１８により吸入された空気が前記ドラム１２に移動するように、前記乾燥ファン１８と前記ドラム１２の後面を連結するダクトカバー２０と、前記冷却ファン１６及び乾燥ファン１８が収容され、前記モーター１７が安着するベース１００を含む。
【００１０】
詳しくは、前記冷却ファン１６と前記乾燥ファン１８は前記モーター１７を中心にして互いに向き合う位置に形成される。そして、前記ダクトカバー２０内部には前記乾燥ファン１８と前記ヒーター１９が収容され、前記乾燥ハァン１８により吸入された循環空気が前記ドラム１２後面に移動する空気流路が形成される。尚、前記乾燥機１０は前記ドア１３の後面に形成され、前記ドラム１２を立つ循環空気内に含まれている毛羽などの異物質を一次的にフィルタリングするドアリントフィルター１３ａと、前記ドアリントフィルター１３ａの下側に形成され、前記ドアリントフィルター１３ａを通過しながら一次的にフィルタリングされた循環空気を二次的にフィルタリングするボディーリントフィルター１４を含む。そして、前記ボディーリントフィルター１４を経た循環空気がコンデンサー２００（図３参照）に移動するための通路である循環ダクト１５をさらに含む。
【００１１】
以下は前記乾燥機１０の作動について説明する。
【００１２】
まず、前記乾燥機１０に電源を印加すると前記モーター１７が回転し、前記ダクトカバー２０内部に装着されたヒーター１９が過熱される。そして、前記モーター軸２１に連結されたベルト１１が回転し前記ドラム１２を回転させる。そして、前記ドラム１２の回転によりドラム１２内部にある洗濯物が前記ドラム１２の内壁に装着されたリフト（図示せず）により上昇し、最上側部に至ると自重により落下することになる。
一方、前記モーター軸２１に連結された乾燥ファン１８がモーター１７の回転と共に回転し、前記コンデンサー２００経た循環空気が吸入される。そして、前記吸入された空気は前記ダクトカバー２０に沿って上昇しながら前記ヒーター１９を経て高温乾燥な状態になる。そして、前記高温乾燥な状態になった循環空気は前記ドラム内部を通過しながら洗濯物に存在する水分を吸収し、高温多湿な状態になる。
尚、前記高温多湿な状態の空気はまた前記ドアリントフィルター１３ａ及びボディーリントフィルター１４を経てフィルタリングされてから、前記循環ダクト１５に沿ってコンデンサー２００に移動する。
【００１３】
一方、前記モーター軸２１に連結された冷却ファン１６が回転しながら前記乾燥機１０外部の室内空気を吸入する。そして、前記吸入された室内空気は冷却ファン１６を通過し前記コンデンサー２００に移動する。そして、前記高温多湿な空気と前記室内空気は前記コンデンサー２００の形状により互いに混合されず熱交換だけが起こるようになる。
従って、前記高温多湿な状態の循環空気は前記コンデンサー２００を通過しながら前記室内空気に熱を奪われ、低温多湿な空気に変化する。そして、温度が低くなりながら循環空気内に含まれている水分が凝縮され、前記凝縮された水分が前記コンデンサー２００の底に落ち、凝縮水が集まるサンプ１５０（図２参照）に移動する。
また、前記サンプに移動した水分は凝縮ポンプ（図示せず）により乾燥機上部に位置する引き出し（図示せず）に移動する。そして、前記コンデンサーを通過する室内空気は高温多湿な状態の循環空気から熱を奪い循環空気を低温多湿な状態に転換させる。その結果、前記室内空気の温度は高くなる。
ここで、前記乾燥ファン１８により吸入される循環空気はダクトカバー２０内部に形成された流路に沿って移動する。そして、前記ダクトカバー２０内に装着されたヒーター１９を通過しながら高温乾燥な状態になり、前記ドラム１２内部に流入する。
前記のような過程により前記循環空気はドラム、リントフィルター、コンデンサー及びダクトカバーの順番で循環する。
【００１４】
図２は本発明の思想に係るコンデンサーが挿入される乾燥機のベースを示す斜視図である。
【００１５】
図２を参照すると、コンデンサーが挿入される乾燥機のベース１００はドラム１２を通過しドアリントフィルター１３ａを通過した内部空気が下降する循環空気下降部１１０と、前記循環空気下降部１１０の下側に入口が形成され、前記ベースの後側に長く挿入されるコンデンサー２００と、前記コンデンサー２００が挿入されるためのコンデンサー挿入口１１２と、前記コンデンサー２００の後側に形成され前記コンデンサー２００を通過した空気が移動する循環空気流路１７０を含む。
尚、前記ベース１００は前記コンデンサー挿入口１１２から所定距離離れた位置に形成され室内空気が吸入される室内空気吸入口１２０と、前記室内空気を吸入する前記冷却ファン１６が安着するための冷却ファン安着溝１３０をさらに含む。
また、前記冷却ファン安着溝１３０の後側には乾燥機ドラムを回転させる原動力を提供する前記モーターが安着し、前記モーター１７から発生する熱を冷やすためのモーター防熱溝１４０を具備する。そして、前記ベース１００の概略中心部には前記コンデンサー２００から発生する凝縮水が集まるサンプ１５０を具備する。
【００１６】
以下は前記ベース１００内部で起こる流体の循環について簡単に説明する。
【００１７】
前述のように、ドラム内部を通過しながら高温多湿な状態になり、ドアリントフィルター１３ａ及びボディーリントフィルター１４を経た内部空気は、前記循環空気下降部１１０を経て前記コンデンサー２００を通過する。また、前記室内空気吸入口１２０を通して吸入された室内空気は前記冷却ファン１６を経てコンデンサー２００に流入する。
ここで、前記室内空気は前記循環空気より温度が低いため前記コンデンサー２００を通過する間熱交換が起こるようになる。
詳しくは、前記コンデンサー２００を通過する循環空気と室内空気は互いに混合されず熱交換だけが起こるようにするため、前記コンデンサー２００内部では循環空気流路と室内空気流路が互いに交差するように製作される。
一方、前記コンデンサー２００を通過した循環空気は前記循環空気流路１７０に沿って移動し乾燥機の後壁に具備される乾燥ダクト２０に移動する。そして、前記コンデンサー２００を通過した室内空気はまた室内に吐出される。
【００１８】
図３は本発明の思想に係るコンデンサーの前面斜視図であり、図４は前記コンデンサーの背面斜視図であり、図５は前記コンデンサーの側面斜視図である。
【００１９】
図３乃至図５を参照すると、本発明に係るコンデンサー２００はコンデンサーボディー２７０と、前記コンデンサーボディー２７０の前面部に形成されコンデンサー前面部の縁を成すフロントフレーム２１１と、前記フロントフレーム２１１内側に形成される循環空気流入口２１０と、前記コンデンサー２００の前面中央に形成されるコンデンサー着脱輪４００と、前記フロントフレーム２１１の両側面に具備され前記コンデンサー２００を圧入するコンデンサー圧入部材３００と、前記フロントフレーム２１１の下側部で前記フロントフレーム２１１より長く延長され形成されるフロントシーリング安着部２００を含む。
詳しくは、前記フロントフレーム２１１の背面には前記コンデンサーが組み立てられる時、完全な密閉状態を維持するための前面シーリング部材２６０が形成される。
尚、前記コンデンサー２００は後端部縁に具備され密閉状態を維持するための背面シーリング部材２４０と、前記循環空気流入口２１０を通して吸入された室内空気が吐出される循環空気流出口２３０をさらに含む。
また、前記コンデンサー２００の側面は冷却ファン１６の吸入力により吸入された室内空気が流入及び流出される室内空気流入口２５１及び室内空気流出口２５０を含む。
前記循環空気流入口２１０及び流出口２３０と前記室内空気流入口２５１及び流出口２５０は互いに交互に層を形成して交差することで、直接接触せず熱交換だけが起こるように構成される。
また、前記コンデンサー２００の前面シーリング部材２６０及び背面シーリング部材２４０により、前記コンデンサー２００を通過する室内空気及び循環空気が、コンデンサー２００内部を通過せずコンデンサー２００外部に流出しないようになる。
ここで、前記シーリング部材２４０、２６０が機能を十分発揮するためには前記コンデンサー２００がコンデンサー安着部（図示せず）に完全に密着するように圧入する装置が必要になる。
【００２０】
図６は本発明の思想に係るコンデンサー圧入部材の拡大斜視図であり、図７は本発明に係るコンデンサーに具備される着脱輪部分を示す拡大斜視図である。
【００２１】
図６及び図７を参照すると、本発明に係るコンデンサー圧入部材３００は前記コンデンサー２００の前面縁を形成するフロントフレーム２１１の両側面に装着される。
詳しくは、前記圧入部材３００は中央に回転軸３５０が挿入され、前記回転軸３５０は前記フロントフレーム２１１に結合される。
より詳しくは、前記回転軸３５０はスクリュー状からなり前記外郭部２１１に締められ結合されることが好ましい。そして、前記圧入部材３００は前記回転軸３５０を中心に所定角度回転可能になる。
尚、前記圧入部材３００は所定の長さで延長される回転てこ３３０と、前記回転てこ３３０の端部側面に突出する圧入突起３１０を含む。
詳しくは、前記回転てこ３００の前面部には使用者が前記圧入部材３００を容易に回転させるようにつまみ３４０が所定の長さで突出形成される。
より詳しくは、前記圧入部材３００の外周面に形成された前記圧入突起３１０は所定の厚さを有し、端部が所定の角度で傾くように切断される圧入傾斜面３２０を含む。そして、前記圧入傾斜面３２０は前記のように所定の角度で傾くように切断されることで、前記圧入突起３１０の端部の方向に幅が狭くなる。
従って、前記圧入突起３１０が前記コンデンサー収容部６００（図８参照）の側面に具備される圧入突起挿入口１１１（図８参照）に挿入される時、前記圧入傾斜面３２０に沿ってスムーズに挿入できる。
【００２２】
一方、本発明に係るコンデンサーの前面部には使用者の指が挟まれる溝が形成されるコンデンサー着脱輪４００が具備される。
詳しくは、使用者は周期的に前記コンデンサー２００を抜いて掃除をする必要があり、この際前記コンデンサー２００を掴める装置が必要になる。
従って、使用者の指が入れる溝を有するつまみが具備される。
より詳しくは、前記コンデンサー着脱輪４００は前記コンデンサー前面部下側に具備されるフロントシーリング安着部２２０上に垂直方向に形成され、その中央面に所定の直径を有する溝が形成される。
ここで、前記コンデンサー着脱輪４００の位置及び形状は本発明の実施例に制限されるものではなく、使用者が掴むに最も容易な位置に具備される様々な形状の着脱輪が提案可能であることを示しておく。
【００２３】
図８は本発明の思想に係るコンデンサー収容部の第１実施例が具備されたベースの部分斜視図であり、図９は前記コンデンサー収容部の第２実施例が具備されたベースの部分斜視図である。
【００２４】
図８及び図９を参照すると、本発明に係るコンデンサー収容部６００は前記ベース１００の内側に所定の深さで形成される。
詳しくは、前記コンデンサー収容部６００はベース１００前面部に形成され前記コンデンサー２００が挿入されるようにするコンデンサー挿入口１１２と、前記コンデンサー挿入口１１２から内側後方に所定の深さで入った所に所定間隔で囲まれる前面部シーリング面６２０と、一側面及び／または両側面に形成され前記圧入突起３１０が挿入されるようにする圧入突起挿入口１１を含む。そして、前記コンデンサー収容部６００の側面には前記冷却ファン１６から送風される室内空気が流入されるための室内空気流入口６３０が形成される。
詳しくは、前記前面部シーリング面６２０は前記コンデンサー２００のフロントフレーム２１１の背面に具備される前面シーリング部材２６０と触れ合い、前記コンデンサー２００に流入される循環空気または室内空気がベース１００前面部に漏れないようにする。
【００２５】
一方、本発明に係るコンデンサー２００は前述のように乾燥機３０のベース１００一側端部に具備されるコンデンサー収容部６００に挿まれるが、前記コンデンサー収容部６００は前記コンデンサー前面部の形状と同一な形状の入口を形成する。そして、前記コンデンサー収容部６００の底面６１０には所定の高さを有し前後方向に長く形成される少なくとも一つ以上のガイドレールが形成される。
これは前述のように、前記コンデンサーが前記収容部６００に挿入される時摩擦力が小さく作用することで、よりスムーズに挿入させるためである。
ここで、前記ガイドレール５００の両側面には前記ガイドレール５００を支持するための支持リブ５１０が少なくとも一つ以上形成されることができる。
そして、前記収容部底面６１０に具備される前記ガイドレール５００の高さ、厚さ及び個数においては本発明に制限されない。
【００２６】
図１０はコンデンサーが前記圧入部材により圧入された状態を示す拡大斜視図である。
【００２７】
図１０を参照すると、本発明に係るコンデンサー圧入部材３００が前記コンデンサー収容部６００側面に形成される圧入突起挿入口１１１に挿入されると、前記コンデンサー２００の前後面が前記コンデンサー収容部６００に強く密着され空気の漏れを防止する。
詳しくは、前記圧入部材３００が前記コンデンサー２００に圧入される過程を説明すると、まず前記コンデンサー２００を前記コンデンサー収容部６００内部に押し入れる。そして、前記コンデンサー２００が前記収容部６００に完全に挿入されると、前記圧入突起３１０の底面が前記圧入突起挿入口１１１に位置する。ここで、前記圧入部材つまみ３４０を手で掴み回転させると前記圧入突起３１０は前記圧入傾斜面３２０に沿って前記圧入突起挿入口１１１内に挿入される。
結果的に、前記圧入突起３１０が前記圧入突起挿入口１１１に完全に挿入されると、前記コンデンサー２００は前記圧入突起３１０の厚さに相当する長さだけ後方に圧入される。従って、前記コンデンサー２００の前面部と背面部に具備されるシーリング部材は、前記コンデンサー収容部６００に形成された前面部シーリング面６２０に強く圧入され、完全な密閉状態が維持できる。勿論、前記コンデンサー２００の後側縁に具備される背面シーリング部材２４０も前記コンデンサー収容部６００の後側に形成されるシーリング面（図示せず）に強く密着する。
【図面の簡単な説明】
【００２８】
【図１】本発明の思想に係るコンデンサー組立構造を具備した凝縮式乾燥機の断面図である。
【図２】本発明の思想に係るコンデンサーが挿入される乾燥機のベースを示す斜視図である。
【図３】本発明の思想に係るコンデンサーの前面斜視図である。
【図４】前記コンデンサーの背面斜視図である。
【図５】前記コンデンサーの側面斜視図である。
【図６】本発明の思想に係るコンデンサー圧入部材の拡大斜視図である。
【図７】本発明に係るコンデンサーに具備される着脱輪部分を示す拡大斜視図である。
【図８】本発明の思想に係るコンデンサー収容部の第１実施例を具備するベースの部分斜視図である。
【図９】前記コンデンサー収容部の第２実施例を具備するベースの部分斜視図である。
【図１０】コンデンサーが前記圧入部材により圧入された状態を示す拡大斜視図である。
【符号の説明】
【００２９】
１００：ベース
１１０：循環空気下降部
２００：コンデンサー
３００：コンデンサー圧入部材
３１０：圧入突起
４００：着脱輪
【図１】
2005177512.tif 000003
【図２】
2005177512.tif 000004
【図３】
2005177512.tif 000005
【図４】
2005177512.tif 000006
【図５】
2005177512.tif 000007
【図６】
2005177512.tif 000008
【図７】
2005177512.tif 000009
【図８】
2005177512.tif 000010
【図９】
2005177512.tif 000011
【図１０】
2005177512.tif 000012